(57)【特許請求の範囲】
【請求項１】
吊具や固定具等の雄ネジ材を複数取付可能に構成されたレール材を、建築構造材である柱に取り付けてなるレール材の取付構造であって、
前記柱は、四つの側面を持つ断面四角形状に形成されており、さらに四つの目地部を有する表面化粧材によって被覆されており、
前記表面化粧材は、断面略凹型の一方のカバーと断面略凹型の他方のカバーとからなり、これら一方のカバーと他方のカバーとを接続して断面四角型となるように組み合わせることで前記柱を被覆しており、
前記四つの目地部のそれぞれは、前記表面化粧材に対し、前記柱の前記四つの側面のそれぞれにおける幅方向中央の位置に対応して配置され、
当該四つの目地部のうち、一つは前記一方のカバーに形成され、一つは前記他方のカバーに形成され、残り二つは、前記一方のカバーと前記他方のカバーとを組み合わせた際に、これら一方のカバーの両端部と他方のカバーの両端部との接続部分に形成されており、
前記一方のカバーは、この一方のカバーの両端部に設けられるとともに前記接続部分に形成される前記目地部の目地底を構成する被差込部を備え、
前記他方のカバーは、この他方のカバーの両端部に設けられるとともに前記被差込部に差し込まれる差込片を備え、
前記被差込部は、前記接続部分に形成される前記目地部の側壁から内側に向かって断面略Ｕ字型に形成され、前記差込片は、前記被差込部に向かって延在するように形成されており、
前記四つの目地部のうちの少なくとも一つには、この目地部の長さ方向に沿って前記レール材が嵌められており、
前記レール材は、前記柱に対して、前記四つの目地部のうちの少なくとも一つと共にビスによって固定されており、
前記レール材は、このレール材の長さ方向に沿って、かつ間隔をあけて設けられるとともに前記雄ネジ材が螺着される複数の雌ネジ部を備えていることを特徴とするレール材の取付構造。
【発明の詳細な説明】
【技術分野】
【０００１】
本発明は、各種物品を建築構造材である柱に設置するための吊具や固定具等の雄ネジ材を取付可能なレール材の取付構造に関する。
【背景技術】
【０００２】
例えば壁や柱や梁等の建築構造材に対し、特許文献１に記載のような植栽容器や、その他、簾等の各種物品を吊り下げたり、壁掛けしたりする場合がある。
また、このような各種物品を、壁や柱や梁等の建築構造材に吊り下げたり、壁掛けしたりするために、建築構造材には、吊具や固定具が取り付けられる場合がある。このような吊具や固定具として、建築構造材に取り付けられる取付軸部の外周面に雄ネジが形成された雄ネジ材が用いられている。
【先行技術文献】
【特許文献】
【０００３】
【特許文献１】特開２００７−０９７５５６号公報
【発明の概要】
【発明が解決しようとする課題】
【０００４】
ところで、建築構造材に対して上述のような吊具や固定具等の雄ネジ材を適宜取り付けて、例えば蔓性植物を這わせるワイヤーを張ったり、クリスマス等の年間行事に合わせて種々の飾り物を飾ったりするなど、植栽容器や簾の吊り下げや壁掛けだけに限られない機能的な使い方をしたいという要望がある。
ところが、雄ネジ材を建築構造材にねじ込む場合は、例えば、取付強度をできるだけ高くするために、必ず石膏ボード等の壁面材の裏側にある桟材を狙ってねじ込んだり、建築構造材の表面の化粧材の破損を防止するために、この化粧材を避けるようにしてねじ込んだりするなど、その取付作業が手間である。
また、雄ネジ材を取り外した後には、ネジ穴等の傷が残ってしまい美観を損ねてしまう場合があるため、雄ネジ材を取り外した箇所の補修に手間がかかるという問題もある。
【０００５】
本発明の課題は、各種物品を建築構造材である柱に設置するための吊具や固定具等の雄ネジ材の取り付けや取り外しに係る手間を確実に省略できるとともに、雄ネジ材の機能的な使い方を可能とするレール材の取り付け構造を提供することを目的とする。
【課題を解決するための手段】
【０００６】
請求項１に記載の発明は、例えば図１，図２，図７，図８に示すように、吊具や固定具等の雄ネジ材２を複数取付可能に構成されたレール材１を、建築構造材である柱２０に取り付けてなるレール材１の取付構造であって、
前記柱２０は、四つの側面を持つ断面四角形状に形成されており、さらに四つの目地部２１ａを有する表面化粧材２１によって被覆されており、
前記表面化粧材２１は、断面略凹型の一方のカバー２１０と断面略凹型の他方のカバー２１１とからなり、これら一方のカバー２１０と他方のカバー２１１とを接続して断面四角型となるように組み合わせることで前記柱２０を被覆しており、
前記四つの目地部２１ａのそれぞれは、前記表面化粧材２１に対し、前記柱２０の前記四つの側面のそれぞれにおける幅方向中央の位置に対応して配置され、
当該四つの目地部２１ａのうち、一つは前記一方のカバー２１０に形成され、一つは前記他方のカバー２１１に形成され、残り二つは、前記一方のカバー２１０と前記他方のカバー２１０とを組み合わせた際に、これら一方のカバー２１０の両端部と他方のカバー２１１の両端部との接続部分に形成されており、
前記一方のカバー２１０は、この一方のカバー２１０の両端部に設けられるとともに前記接続部分に形成される前記目地部２１ａの目地底を構成する被差込部２１０ａを備え、
前記他方のカバー２１１は、この他方のカバー２１１の両端部に設けられるとともに前記被差込部２１０ａに差し込まれる差込片２１１ａを備え、
前記被差込部２１０ａは、前記接続部分に形成される前記目地部２１ａの側壁から内側に向かって断面略Ｕ字型に形成され、前記差込片２１１ａは、前記被差込部２１０ａに向かって延在するように形成されており、
前記四つの目地部２１ａのうちの少なくとも一つには、この目地部２１ａの長さ方向に沿って前記レール材１が嵌められており、
前記レール材１は、前記柱２０に対して、前記四つの目地部２１ａのうちの少なくとも一つと共にビス１ｄによって固定されており、
前記レール材１は、このレール材１の長さ方向に沿って、かつ間隔をあけて設けられるとともに前記雄ネジ材２が螺着される複数の雌ネジ部１ａを備えていることを特徴とする。
【０００７】
請求項１に記載の発明によれば、前記雄ネジ材２を取付可能に構成されたレール材１が、前記建築構造材である柱２０を被覆する表面化粧材２１の目地部２１ａに沿って取り付けられているので、前記雄ネジ材２を前記柱２０に直接ねじ込む必要が無くなり、例えば、雄ネジ材２の取付時において、この雄ネジ材２の取付強度を高くするために桟材を狙ってねじ込んだり、化粧材の破損を防ぐために該化粧材を避けてねじ込んだり、雄ネジ材２の取り外し時において、ネジ穴等の傷の補修を行うなどの種々の作業手間を確実に省略することができる。
さらに、前記レール材１は前記目地部２１ａの長さ方向に沿って取り付けられていることから、前記雄ネジ材２を前記目地部２１ａの長さ方向に沿って複数取り付けることができるので、単に植栽容器や簾の吊り下げや壁掛けだけに限られない機能的な使い方が可能となる。すなわち、例えば複数の柱２０の側面同士を対向させて配置し、これら各柱２０にレール材１を取り付けるだけで、複数の雄ネジ材２…を多様に使うことができ、これら複数の雄ネジ材２…を利用して様々な飾り付けや植栽等を行うことができる。これによって、柱２０の周囲にバリエーションに富んだ景観を生み出すことが可能となる。
また、前記レール材１は、このレール材１の長さ方向に沿って、かつ間隔をあけて設けられるとともに前記雄ネジ材２が螺着される複数の雌ネジ部１ａ…を備えているので、前記雄ネジ材２を前記複数の雌ネジ部１ａ…に螺着することにより、雄ネジ材２を前記レール材１に確実に取り付けることができる。これによって、前記雄ネジ材２を、前記柱２０や表面化粧材２１の上からねじ込んで取り付ける必要が無くなるので、種々の作業手間をより確実に省略することができる。
【発明の効果】
【０００８】
本発明によれば、各種物品を建築構造材である柱に設置するための吊具や固定具等の雄ネジ材を取付可能に構成されたレール材が、柱に取り付けられた表面化粧材の目地部に沿って取り付けられているので、雄ネジ材を柱に直接ねじ込む必要が無くなり、例えば、雄ネジ材の取付時において、この雄ネジ材の取付強度を高くするために桟材を狙ってねじ込んだり、化粧材の破損を防ぐために該化粧材を避けてねじ込んだり、雄ネジ材の取り外し時において、ネジ穴等の傷の補修を行うなどの種々の作業手間を確実に省略することができる。
さらに、レール材は目地部の長さ方向に沿って取り付けられていることから、雄ネジ材を目地部の長さ方向に沿って複数取り付けることができるので、単に植栽容器や簾の吊り下げや壁掛けだけに限られない機能的な使い方が可能となる。すなわち、例えば複数の柱の側面同士を対向させて配置し、これら各柱にレール材を取り付けるだけで、複数の雄ネジ材を多様に使うことができ、これら複数の雄ネジ材を利用して様々な飾り付けや植栽等を行うことができる。これによって、柱の周囲にバリエーションに富んだ景観を生み出すことが可能となる。
また、レール材は、このレール材の長さ方向に沿って、かつ間隔をあけて設けられるとともに雄ネジ材が螺着される複数の雌ネジ部を備えているので、雄ネジ材を複数の雌ネジ部に螺着することにより、雄ネジ材をレール材に確実に取り付けることができる。これによって、雄ネジ材を、柱や表面化粧材の上からねじ込んで取り付ける必要が無くなるので、種々の作業手間をより確実に省略することができる。
【図面の簡単な説明】
【０００９】
【図１】本発明に係るレール材の取付構造の一例を示す斜視図である。
【図２】本発明に係るレール材の取付構造において建築構造材に取り付けられるレール材を示す正面図である。
【図３】レール材および下地材を壁のフラット部に取り付ける状態を示す斜視図である。
【図４】レール材および下地材が取り付けられた壁のフラット部を示す拡大断面図である。
【図５】レール材を壁のコーナー部に取り付ける状態を示す状態を示す斜視図である。
【図６】レール材が取り付けられた壁のコーナー部を示す拡大断面図である。
【図７】レール材を柱に取り付ける状態を示す斜視図である。
【図８】レール材が取り付けられた柱を示す拡大断面図である。
【図９】レール材が取り付けられた梁を示す拡大断面図である。
【図１０】梁型に梁型用アイボルトを取り付ける状態を示す部分拡大断面図である。
【図１１】本発明に係るレール材の取付構造の他の一例を示す斜視図である。
【発明を実施するための形態】
【００１０】
以下、図面を参照して本発明の実施の形態について説明する。
【００１１】
＜第１の実施の形態＞
図１は本発明に係るレール材の取付構造の一例を示す斜視図である。図１に示す場所は住宅等の建物の角部に形成された凹部４０であり、テラスとして利用されている。また、このテラス４０では、複数の建築構造材１０，２０，３０がそれぞれ対向または直交するようにして配置されている。
建築構造材１０は、この凹部４０を構成するとともに、前記レール材１が取り付けられる建物の外壁を示している。
建築構造材２０は、前記テラス４０の床４１に立設されるとともに、前記レール材１が取り付けられる建築構造材である建物の柱を示している。
建築構造材３０は、前記外壁１０と柱２０との間、隣り合う一方の柱２０と他方の柱２０との間に架設されるとともに、前記レール材１が取り付けられる建築構造材である建物の梁を示している。
そして、本実施の形態のテラス４０では、吊具や固定具等の雄ネジ材２を取付可能に構成されたレール材１が、互いに対向する外壁１０と柱２０との互いに対向する面、隣り合う一方の柱２０と他方の柱２０との互いに対向する面、外壁１０と梁３０との入隅部Ａを介して互いに直交する面、柱２０と梁３０との入隅部Ａを介して互いに直交する面にそれぞれ取り付けられている。
【００１２】
図２は建築構造材１０，２０，３０に取り付けられるレール材を示す正面図である。
図２に示すレール材１は、このレール材１が取り付けられる目地部（後述）から露出する中央板と、この中央板の四辺に該中央板と直交する方向に延在する側板からなる断面凹型のレール本体を備えている。さらに、中央板と側板とで囲まれるレール本体の内部に、前記中央板の裏側面に接合固定される複数の雌ネジ部１ａ…を備えている。
これら複数の雌ネジ部１ａ…は、各種物品を建築構造材１０，２０，３０に設置するための吊具や固定具等の雄ネジ材２が螺着されるものであり、前記レール材１の長さ方向に沿って、かつ間隔をあけて設けられている。
前記中央板には、複数の雌ネジ部１ａ…の固定位置に対応して、前記雄ネジ材２の取付軸部を挿通可能な挿通孔１ｂが複数形成されている。
【００１３】
また、前記中央板には、レール材１を前記建築構造材１０，２０，３０に固定するためのビス１ｄが挿通されるビス孔１ｃが複数形成されている。
これら複数のビス孔１ｃ…は、前記複数の雌ネジ部１ａ…が設けられていない箇所に形成されている。また、例えばレール材１の取付強度を高めるために複数のビス１ｄ…が狭い間隔で並べてねじ込まれる場合がある。
【００１４】
前記雄ネジ材２は、前記レール材１に取り付けられる取付軸部２ａの外周面に雄ネジが形成されたものであればよい。本実施の形態では取付軸部２ａの頭部に環状体２ｂが一体形成されたアイボルトを採用しているが、これに限られるものではなく、通常の固定具としてのボルトや、吊具としてのフック状のものなど、種々のものを雄ネジ材２として前記レール材１に取り付けることができる。
また、固定具としてボルトを使用して、このボルトに固定が可能な各種物品を、建築構造材１０，２０，３０に固定することができる。
【００１５】
ここで、各種物品とは、例えば植栽容器や簾、蔓性植物を這わせるためのワイヤー、クリスマス等の年間行事に用いられる種々の飾り物等が挙げられるが、いずれの物品を建築構造材に設置するかは居住者の任意であり、本発明の趣旨を逸脱しない範囲で適宜変更可能である。
また、専用の支持金具等を用い、この専用の支持金具等を雄ネジ材２で建築構造材に固定することで、棚や物干し竿など種々の物品を設置することもできる。
【００１６】
前記凹部４０は、図１に示すように、前記外壁１０よりも外側に位置しており、この外壁１０によって建物内部と仕切られている。
前記外壁１０は、入隅コーナー部１０ａと、この入隅コーナー部１０ａを介して直交する方向に隣り合うフラット部１０ｂ，１０ｂと、これらフラット部１０ｂ，１０ｂの入隅コーナー部１０ａとは反対側端部にそれぞれ設けられる出隅コーナー部１０ｃ，１０ｃとからなる。
そして、本実施の形態において、前記レール材１は、前記フラット部１０ｂおよび出隅コーナー部１０ｃにそれぞれ取り付けられている。
【００１７】
ここで、前記外壁１０は、予め工場にてパネル化された建築用パネルである。この建築用パネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
また、本実施の形態の建物は、壁や床、屋根といった建物の構成要素を前記建築用パネルで構成し、施工現場でこれらのパネルを組み立てて構築するパネル工法で構築されている。
【００１８】
前記フラット部１０ｂは、図３および図４に示すように、このフラット部１０ｂの表面に取り付けられるとともに目地部１１ａを有する表面化粧材１１によって被覆されている。また、前記レール材１は、前記目地部１１ａに、この目地部１１ａの長さ方向に沿って取り付けられている。
【００１９】
前記表面化粧材１１は、図４に示すように、前記目地部１１ａを介して互いに隣り合う外装材等の一方および他方の化粧板１１０，１１１を備えており、これら一方および他方の化粧板１１０，１１１は、前記外壁１０の表面から前方に離間して配置されている。
前記レール材１は、前記一方の化粧板１１０の目地部側端部１１０ａと、他方の化粧板１１１の目地部側端部１１１ａとの間に配置されている。すなわち、これら一方の化粧板１１０の目地部側端部１１０ａと、他方の化粧板１１１の目地部側端部１１１ａとの間の部分が前記目地部１１ａとされている。
さらに、これらレール材１と一方および他方の化粧板１１０，１１１の目地部側端部１１０ａ，１１１ａとの間に形成される隙間１１２，１１２には、この隙間１１２，１１２を塞ぐシーリング材１１３，１１３が設けられている。
【００２０】
前記一方および他方の化粧板１１０，１１１は、前記外壁１０の表面に固定される胴縁（図示せず）を介して前記外壁１０の表面に取り付けられているため、この外壁１０の表面から前方に離間している。
このように離間することによって外壁１０の表面と一方および他方の化粧板１１０，１１１との間には隙間１１４が形成されるが、この隙間１１４は通気に利用されている。
また、前記外壁１０の表面の下端部には、図３に示すように、隙間１１４からの雨水等の浸入を防ぐ水切り材１０ｄが取り付けられている。この水切り材１０ｄの下端部は、前記一方および他方の化粧板１１０，１１１の下端部から露出し、上端部は一方および他方の化粧板１１０，１１１によって遮蔽される。
【００２１】
前記目地部１１ａには、図４に示すように、前記レール材１の取付下地となる下地材１２が設けられている。
この下地材１２は、前記建築構造材１０の表面にビス１３ａによって固定されるとともに前記目地部１１ａの目地幅１１ｂよりも幅広に形成された固定板部１３と、この固定板部１３から前方に突出して目地底を構成する突出部１４とを備えている。
そして、前記レール材１は、前記ビス１ｄによって、前記下地材１２の突出部１４によって構成された目地底、すなわち下地材１２に固定されている。
【００２２】
前記フラット部１０ｂにレール材１を取り付けるには、図３に示すように、まず、前記水切り材１０ｄを外壁１０の表面の下端部に取り付ける。
続いて、図４に示すように、前記外壁１０の表面のレール材１が取り付けられるべき位置に、前記下地材１２を、前記固定板部１３をビス１３ａによって固定するようにして取り付ける。
【００２３】
続いて、前記表面化粧材１１の一方および他方の化粧板１１０，１１１を、前記外壁１０の表面に胴縁を介して取り付ける。
続いて、前記レール材１を、前記ビス１ｄによって前記下地材１２の突出部１４に固定する。
その後、前記シーリング材１１３，１１３を、レール材１と一方および他方の化粧板１１０，１１１の目地部側端部１１０ａ，１１１ａとの間に形成される隙間１１２，１１２に充填し、これら隙間１１２，１１２を塞ぐ。
【００２４】
なお、前記レール材１は、前記下地材１２に対して予め固定して一体化させておいてもよいものとする。これによって、レール材１と下地材１２とを別々に扱う必要がないので、輸送や持ち運びの効率を高めるとともに、レール材１の固定作業も下地材１２の固定板部を外壁１０の表面に固定するだけで済み、作業効率も向上させることができる。
【００２５】
また、本実施の形態において前記一方および他方の化粧板１１０，１１１を、前記下地材１２よりも後に外壁１０の表面に取り付けているが、前記下地材１２よりも前に予め外壁１０の表面に取り付けておいてもよい。これによって、建築用パネルの表面に予め化粧板１１０，１１１を取り付けた状態で運搬できるので、施工現場における施工効率の面で好ましい。
ただし、予め外壁１０の表面に一方および他方の化粧板１１０，１１１を取り付ける場合には、下地材１２を前記外壁１０の表面に取り付けできるように、前記固定板部１３の幅と前記目地部１１ａの目地幅１１ｂとを十分に考慮する必要がある。
【００２６】
次に、前記出隅コーナー部１０ｃは、図５および図６に示すように、この出隅コーナー部１０ｃの表面に取り付けられるとともに目地部１５ａを有する表面化粧材１５によって被覆されている。また、前記レール材１は、前記目地部１５ａに、この目地部１５ａの長さ方向に沿って取り付けられている。
なお、この出隅コーナー部１０ｃは、２つの建築用パネルを直交するようにして配置することにより形成されている。本実施の形態では、調整材１０ｅを介して２つの建築用パネルが直交して配置されている。
【００２７】
前記表面化粧材１５は、図６に示すように、出隅コーナー部１０ｃを形成する一方の建築用パネルの壁面を被覆する一方のカバー１５０と、他方の建築用パネルの壁面を被覆する他方のカバー１５１とからなる断面略Ｌ字型のカバー材である。
前記一方および他方のカバー１５０，１５１には、それぞれ目地部１５ａが形成されている。
なお、本実施の形態の表面化粧材１５は、例えばアルミ等の金属板を折曲加工したり、押出成形するなどして形成されている。また、樹脂等の押出成形品を用いてもよいものとする。
【００２８】
また、前記一方および他方のカバー１５０，１５１は、該一方および他方のカバー１５０，１５１を壁面に固定するための固定片１５０ａ，１５１ａをそれぞれ備えている。
これら固定片１５０ａ，１５１ａは、ビス１５ｂによって前記一方の建築用パネルの壁面と、他方の建築用パネルの壁面とに固定されている。
【００２９】
また、前記表面化粧材１５は、前記一方の建築用パネルの壁面と、他方の建築用パネルの壁面とに取り付けられたカバー下地材１６，１６を介して出隅コーナー部１０ｃに取り付けられている。
さらに、これらカバー下地材１６，１６には、前記一方および他方のカバー１５０，１５１に形成された目地部１５ａ，１５ａの目地底を支持する支持材１７，１７がそれぞれ固定されている。
【００３０】
前記支持材１７は、前記建築用パネルの壁面とに固定されるとともに前記目地部１５ａの目地幅よりも幅広に形成された固定板部１７ａと、この固定板部１７ａから前方に突出して目地底を支持する突出部１７ｂとを備えている。
また、表面化粧材１５とカバー下地材１６，１６との間に形成される空隙には、表面化粧材１５の変形を防ぐ充填材１８が設けられている。
そして、前記レール材１は、前記ビス１ｄによって、前記一方の建築用パネルの壁面を被覆する一方のカバー１５０に形成された目地部１５ａに取り付けられている。
【００３１】
前記出隅コーナー部１０ｃにレール材１を取り付けるには、図５に示すように、まず、前記水切り材１０ｄを外壁１０の表面の下端部に取り付ける。
続いて、図６に示すように、前記カバー下地材１６，１６を前記一方および他方の建築用パネルの壁面に取り付ける。また、これらカバー下地材１６，１６には、表面化粧材１５の目地部１５ａ，１５ａの位置に合うように前記支持材１７，１７を固定する。
続いて、前記表面化粧材１５を出隅コーナー部１０ｃに被せ、前記固定片１５０ａ，１５１ａをビス１５ｂによって一方および他方の建築用パネルの壁面にそれぞれ固定する。
【００３２】
続いて、前記レール材１を、前記ビス１ｄによって前記一方のカバー１５０側の目地部１５ａに固定する。この時、ビス１ｄは、前記目地部１５ａの目地底と、前記支持材１７の突出部１７ｂと、前記カバー下地材１６とを貫通するようにして、前記一方の建築用パネルと調整材１０ｅとの接合部分にねじ込まれている。
その後、前記一方の建築用パネルの壁面および他方の建築用パネルの壁面に、前記固定片１５０ａ，１５１ａを遮蔽するようにして外装材等の化粧板（図示せず）をそれぞれ取り付けるようにする。この時、これら化粧板は、前記フラット部１０ｂに採用された一方および他方の化粧板１１０，１１１と同様に、図示しない胴縁を介して取り付けられているものとする。
【００３３】
なお、前記外壁１０にレール材１を取り付ける場合に、前記フラット部１０ｂに、出隅コーナー部１０ｃで使用したような目地部を有するカバー材を採用してもよいし、前記出隅コーナー部１０ｃに、一方および他方の外装材等の化粧板で目地部を形成するような収まりを採用してもよいものとする。
【００３４】
次に、前記柱２０は、図１に示すように、前記テラス４０に２本立設されている。１本は、前記入隅コーナー部１０ａの対角部分に位置しており、もう１本は、入隅コーナー部１０ａの対角部分に位置する柱２０と、前記フラット部１０ｂに取り付けられたレール材１との間に立設されている。
また、これら柱２０，２０は、テラス４０の上方に配置されるバルコニーや上階部屋等の上部構造体（図示せず）を支持する支柱として用いられている。なお、この上部構造体の下端部には前記テラス４０外側縁部の上方に位置する屋根Ｙが設けられている。
【００３５】
前記柱２０，２０は、角型パイプからなり、図７および図８に示すように、これら柱２０，２０の表面に取り付けられるとともに目地部２１ａを有する表面化粧材２１によって被覆されている。また、前記レール材１は、前記目地部２１ａに、この目地部２１ａの長さ方向に沿って取り付けられている。
【００３６】
前記表面化粧材２１は、図８に示すように、前記柱２０を被覆するとともに断面略凹型の一方のカバー２１０と、同じく断面略凹型の他方のカバー２１１とからなる。そして、これら一方のカバー２１０と他方のカバー２１１とを断面四角型となるように組み合わせることで前記柱２０の表面を被覆できるように構成されている。
また、前記目地部２１ａは、断面四角型の表面化粧材２１の四側面それぞれに形成されている。４つの目地部２１ａのうち、１つの目地部２１ａは前記一方のカバー２１０に形成されており、１つは前記他方のカバー２１１に形成されている。残り２つは、前記一方のカバー２１０と他方のカバー２１１とを組み合わせた際に、これら一方のカバー２１０両端部と他方のカバー２１１の両端部との接続部分に形成されている。
なお、本実施の形態の表面化粧材２１は、例えばアルミ等の金属板を折曲加工したり、押出成形するなどして形成されている。また、樹脂等の押出成形品を用いてもよいものとする。
【００３７】
前記一方のカバー２１０は、他方のカバー２１１に備えられる差込片２１１ａ，２１１ａが差し込まれる被差込部２１０ａ，２１０ａを備えている。この被差込部２１０ａ，２１０ａは、該一方のカバー２１０の両端部に設けられており、一方のカバー２１０両端部と他方のカバー２１１の両端部との接続部分に形成される目地部２１ａ，２１ａの側壁から内側に向かって、断面略Ｕ字型（溝状）となるように形成されている。
【００３８】
また、前記差込片２１１ａ，２１１ａは、前記他方のカバー２１１の両端部に設けられており、前記一方のカバー２１０の被差込部２１０ａ，２１０ａに向かって延在するように形成されている。
これら差込片２１１ａ，２１１ａの延出長さは、断面略Ｕ字型に形成された前記被差込部２１０ａ，２１０ａの溝深さよりも長くなるように設定されている。そして、これら差込片２１１ａ，２１１ａの延出長さに応じて、前記一方のカバー２１０両端部と他方のカバー２１１の両端部との接続部分に形成される目地部２１ａ，２１ａの目地幅が規定されることになる。
なお、前記表面化粧材２１に形成される４つの目地部２１ａの目地幅に略等しくなるように設定されている。
【００３９】
また、前記一方のカバー２１０は、前記被差込部２１０ａ，２１０ａと一体形成されるとともに、前記柱２０に固定される固定板部２１０ｂ，２１０ｂを備えている。
これら固定板部２１０ｂ，２１０ｂは、前記被差込部２１０ａ，２１０ａから、前記他方のカバー２１１の差込片２１１ａ，２１１ａの裏面側を通過するようにして他方のカバー２１１側に向かって延出している。
【００４０】
そして、前記一方のカバー２１０の両端部と他方のカバー２１１の両端部との接続部分に形成される目地部２１ａ，２１ａの他方のカバー２１１の側壁よりも延出する部分が、ビス２１０ｃ，２１０ｃによって柱２０に固定されている。
さらに、前記他方のカバー２１１は、前記差込片２１１ａ，２１１ａを前記一方のカバー２１０の被差込部２１０ａ，２１０ａに差し込み、ビス２１２と前記レール材１取付用のビス１ｄとを、前記接続部分の目地部２１ａ，２１ａから柱２０に向かってをねじ込むことで固定されている。
すなわち、ビス２１２およびビス１ｄは、前記差込片２１１ａ，２１１ａと被差込部２１０ａ，２１０ａとを貫通するようにして設けられている。
【００４１】
また、前記表面化粧材２１は、前記柱２０の表面に、該柱２０を囲むようにして取り付けられたカバー下地材２２…を介して、柱２０に取り付けられている。
さらに、表面化粧材２１とカバー下地材２２…との間に形成される空隙には、表面化粧材２１の変形を防ぐ充填材２３が設けられている。
【００４２】
そして、本実施の形態において、前記レール材１は、前記ビス１ｄによって、前記一方のカバー２１０両端部と他方のカバー２１１の両端部との接続部分に形成される目地部２１ａ，２１ａのうちの一方に取り付けられている。
なお、前記レール材１は、例えば前記表面化粧材２１に形成される全ての目地部２１ａに取り付けてもよく、居住者の任意で決められるものとする。
【００４３】
前記柱２０にレール材１を取り付けるには、まず、図６に示すように、柱２０の側面にカバー下地材２２…を取り付ける。
続いて、一方のカバー２１０を前記柱２０に被せるとともに、前記固定板部２１０ｂ，２１０ｂをビス２１０ｃで固定する。
続いて、他方のカバー２１１を、前記差込片２１１ａ，２１１ａを前記一方のカバー２１０の被差込部２１０ａ，２１０ａに差し込みながら前記柱２０に被せる。
【００４４】
続いて、前記一方のカバー２１０両端部と他方のカバー２１１の両端部との接続部分に形成される目地部２１ａ，２１ａのうちの一方から柱２０に向かってビス２１２をねじ込んで、前記一方のカバー２１０両端部と他方のカバー２１１の両端部との接続部分の一方を固定する。
この時、前記ビス２１２は、前記差込片２１１ａと、前記被差込部２１０ａと、前記カバー下地材２２とを貫通するようにして前記柱２０にねじ込まれている。
【００４５】
続いて、前記ビス１ｄによって、前記一方のカバー２１０両端部と他方のカバー２１１の両端部との接続部分に形成される目地部２１ａ，２１ａのうちの他方に、前記レール材１を固定する。
この時、前記ビス１ｄは、前記差込片２１１ａと、前記被差込部２１０ａと、前記カバー下地材２２とを貫通するようにして前記柱２０にねじ込まれている。
【００４６】
次に、前記梁３０は、図１に示すように、前記外壁１０のフラット部１０ｂと柱２０との間、出隅コーナー部１０ｃと柱２０との間、隣り合う一方の柱２０と他方の柱２０との間にそれぞれ架設されている。
また、これら梁３０，３０，３０は、例えば角型パイプからなり、図９に示すように、これら梁３０，３０，３０の表面に取り付けられるとともに目地部３１ａを有する表面化粧材３１によって被覆されている。また、前記レール材１は、前記目地部３１ａに、この目地部３１ａの長さ方向に沿って取り付けられている。
【００４７】
前記表面化粧材３１は、図９に示すように、前記梁３０を被覆するとともに断面略凹型の一方のカバー３１０と、同じく断面略凹型の他方のカバー３１１とからなる。そして、これら一方のカバー３１０と他方のカバー３１１とを断面四角型となるように組み合わせることで前記梁３０の表面を被覆できるように構成されている。
また、前記目地部３１ａは、断面四角型の表面化粧材３１の上面および下面にそれぞれに形成されている。これら目地部３１ａ，３１ａは、前記一方のカバー３１０と他方のカバー３１１とを組み合わせた際に、これら一方のカバー３１０両端部と他方のカバー３１１の両端部との接続部分に形成されている。
【００４８】
なお、本実施の形態の表面化粧材３１は、例えばアルミ等の金属板を折曲加工したり、押出成形するなどして形成されている。また、樹脂等の押出成形品を用いてもよいものとする。
また、本実施の形態の表面化粧材３１に形成される目地部３１ａは２つとしたが、これに限られるものではなく、上述の柱２０の表面化粧材２１と同じく、断面四角型の表面化粧材３１の四側面に形成されていてもよい。
【００４９】
前記一方のカバー３１０は、他方のカバー３１１に備えられる差込片３１１ａ，３１１ａが差し込まれる被差込部３１０ａ，３１０ａを備えている。この被差込部３１０ａ，３１０ａは、該一方のカバー３１０の両端部に設けられており、前記目地部３１ａ，３１ａを構成する目地部３１ａ，３１ａ側壁から内側に向かって、断面略Ｕ字型（溝状）となるように形成されている。
【００５０】
また、前記差込片３１１ａ，３１１ａは、前記他方のカバー３１１の両端部に設けられており、前記一方のカバー３１０の被差込部３１０ａ，３１０ａに向かって延在するように形成されている。
これら差込片３１１ａ，３１１ａの延出長さは、断面略Ｕ字型に形成された前記被差込部３１０ａ，３１０ａの溝深さよりも長くなるように設定されている。
【００５１】
また、前記一方のカバー３１０は、前記被差込部３１０ａ，３１０ａと一体形成されるとともに、前記梁３０に固定される固定板部３１０ｂ，３１０ｂを備えている。
これら固定板部３１０ｂ，３１０ｂは、前記被差込部３１０ａ，３１０ａから、前記他方のカバー３１１の差込片３１１ａ，３１１ａの裏面側を通過するようにして他方のカバー３１１側に向かって延出している。
【００５２】
そして、前記目地部３１ａ，３１ａの他方のカバー３１１の側壁よりも延出する部分が、ビス３１０ｃ，３１０ｃによって梁３０に固定されている。
さらに、前記他方のカバー３１１は、前記差込片３１１ａ，３１１ａを前記一方のカバー３１０の被差込部３１０ａ，３１０ａに差し込み、ビス３１２と前記レール材１取付用のビス１ｄとを、前記目地部３１ａ，３１ａから梁３０に向かってをねじ込むことで固定されている。
すなわち、ビス３１２およびビス１ｄは、前記差込片３１１ａ，３１１ａと被差込部３１０ａ，３１０ａとを貫通するようにして設けられている。
【００５３】
また、前記表面化粧材３１は、前記梁３０の表面に、該梁３０を囲むようにして取り付けられたカバー下地材３２…を介して、梁３０に取り付けられている。
さらに、表面化粧材３１とカバー下地材３２…との間に形成される空隙には、表面化粧材３１の変形を防ぐ充填材３３が設けられている。
【００５４】
そして、本実施の形態において、前記レール材１は、前記ビス１ｄによって、前記梁３０の下面側に位置する目地部３１ａに取り付けられている。
なお、前記レール材１は、例えば前記表面化粧材３１に形成される全ての目地部３１ａに取り付けてもよく、居住者の任意で決められるものとする。
また、前記梁３０の上面側に位置する目地部３１ａには、埃や砂等の堆積を防ぐためにキャップ３４を嵌め込んでおくことが好ましい。
【００５５】
前記梁３０にレール材１を取り付ける方法については、上述の柱２０にレール材１取り付ける方法と略同様の手順で行われるため、説明を省略する。
また、前記外壁１０と、前記柱２０とに直交する建築構造材として前記梁３０を挙げたが、梁材だけに限られるものではなく、例えば天井材や軒天井材、垂壁等を採用してもよいものとする。
【００５６】
なお、例えば梁のように、下面側にレール材１が取り付けられるとともに、このレール材１に吊具等の雄ネジ材２が取り付けられ、なおかつ、この吊具等の雄ネジ材２によって吊り下げられる物品が比較的重量なものである場合には、図１０に示すような形態の梁３５を、前記外壁１０のフラット部１０ｂと柱２０との間、出隅コーナー部１０ｃと柱２０との間、隣り合う一方の柱２０と他方の柱２０との間にそれぞれ架設してもよい。
この梁３５は、例えば金属製の梁フレーム３６と、この梁フレーム３６の上面と両側面、下面の両側端を被覆する梁上カバー３７と、梁フレーム３６の下面を被覆する梁下カバー３８とを備えている。
【００５７】
前記梁フレーム３６の下面には、該梁フレーム３６の内部側に連通する溝部３６ａが形成されており、この溝部３６ａの両側縁部には、前記梁フレーム３６の内部側に向かって立ち上がる立ち上がり部３６ｂ，３６ｂが設けられている。
前記梁上カバー３７によって、前記梁フレーム３６の下面を被覆する部分は、この梁フレーム３６の下面両側縁部だけであり、前記梁フレーム３６の溝部３６ａを干渉しないように形成されている。
前記梁下カバー３８は、前記梁フレーム３６の下面のみを被覆するものであり、前記梁フレーム３６の溝部３６ａに対応する溝部３８ａを有している。また、この溝部３８ａの両側縁部には、前記梁フレーム３６の立ち上がり部３６ｂ，３６ｂに当接し、該立ち上がり部３６ｂ，３６ｂを補強する立ち上がり補強部３８ｂ，３８ｂとを有している。
【００５８】
また、これら梁フレーム３６と梁上カバー３７と梁下カバー３８とは、前記梁フレーム３６の下面において互いに重なり合うようにして形成されている。
前記梁３５は、これら梁フレーム３６と梁上カバー３７と梁下カバー３８とが重なり合う部分にビス固定（図示せず）することによって構成されている。
【００５９】
また、この梁３５に用いられる雄ネジ材は、図１０に示すアイボルト３であり、上述の雄ネジ材２とは構成が異なる。
この雄ネジ材であるアイボルト３は、外周面に雄ネジが形成された取付軸部３ａと、この取付軸部２ａの頭部に一体形成された環状体３ｂと、取付軸部３ａと環状体３ｂとの間に設けられるとともに前記溝部３６ａ，３８ａよりも幅広に形成されたフランジ部３ｃと、取付軸部３ａの先端に螺合する雌ネジ部３ｄと、この雌ネジ部３ｄのフランジ部３ｃ側に一体形成されるとともに前記溝部３６ａ，３８ａを通過可能な幅で、前記立ち上がり部３６ｂに係止可能な凹型の係止部３ｅとを備えている。
【００６０】
このような雄ネジ材３を前記梁３５に取り付けるには、まず、前記係止部３ｅを、前記溝部３６ａ，３８ａを通過可能な向きとする。
通過後、梁フレーム３６の内部で、前記係止部３ｅを、前記立ち上がり部３６ｂ，３６ｂに係止可能な向きとし、アイボルト３自体の位置を下げるなどして、該係止部３ｅを前記立ち上がり部３６ｂ，３６ｂに係止させる。
その後、アイボルト３を回転させてねじ込み動作を行うことによって、前記係止部３ｅとフランジ部３ｃとが、前記梁フレーム３６と梁下カバー３８とを挟持固定することになり、前記溝部３６ａ，３８ａにアイボルト３を取り付けることができる。
なお、このアイボルト３は、このアイボルト３を外す方向に回転させて前記雌ネジ部３ｂとの螺合を緩め、前記係止部３ｅの立ち上がり部３６ｂ，３６ｂへの係止状態を解除し、さらに、前記溝部３６ａ，３８ａを通過可能な向きとすれば簡単に取り外すことができる。
【００６１】
以上のような形態の梁３５であれば、アイボルト３にかかる物品の重さを、前記梁フレーム３６と梁上カバー３７と梁下カバー３８とに分散させて伝達させることができるので、比較的重量のある物品でも吊り下げることができる。
また、以上のような形態のアイボルト３であれば、前記溝部３６ａ，３８ａの延在方向に沿ういずれの位置にでも取り付けることができる。
【００６２】
本実施の形態によれば、前記雄ネジ材２を取付可能に構成されたレール材１が、前記外壁１０，柱２０，梁３０に取り付けられた表面化粧材１１，１５，２１，３１の目地部１１ａ，１５ａ，２１ａ，３１ａに沿って取り付けられているので、前記雄ネジ材２を外壁１０，柱２０，梁３０に直接ねじ込む必要が無くなり、例えば、雄ネジ材２の取付時において、この雄ネジ材２の取付強度を高くするために桟材を狙ってねじ込んだり、化粧材の破損を防ぐために該化粧材を避けてねじ込んだり、雄ネジ材２の取り外し時において、ネジ穴等の傷の補修を行うなどの種々の作業手間を確実に省略することができる。
さらに、前記レール材１は前記目地部１１ａ，１５ａ，２１ａ，３１ａの長さ方向に沿って取り付けられていることから、前記雄ネジ材２を前記目地部１１ａ，１５ａ，２１ａ，３１ａの長さ方向に沿って複数取り付けることができるので、単に植栽容器や簾の吊り下げや壁掛けだけに限られない機能的な使い方が可能となる。
すなわち、本実施の形態の凹部（テラス）４０のように、複数の建築構造材である外壁１０，柱２０，梁３０を対向させたり、直交させたりして配置した場所では、これら各外壁１０，柱２０，梁３０にレール材１を取り付けるだけで、複数の雄ネジ材２…を多様に使うことができ、これら複数の雄ネジ材２…を利用して様々な飾り付けや植栽等を行うことができる。これによって、外壁１０，柱２０，梁３０の周囲、すなわち凹部４０にバリエーションに富んだ景観を生み出すことが可能となる。
【００６３】
また、前記レール材１は、このレール材１の長さ方向に沿って、かつ間隔をあけて設けられるとともに前記雄ネジ材２が螺着される複数の雌ネジ部１ａ…を備えているので、前記雄ネジ材２を前記複数の雌ネジ部１ａ…に螺着することにより、雄ネジ材２を前記レール材１に確実に取り付けることができる。
これによって、前記雄ネジ材２を、前記外壁１０，柱２０，梁３０や表面化粧材１１，１５，２１，３１の上からねじ込んで取り付ける必要が無くなるので、種々の作業手間をより確実に省略することができる。
【００６４】
また、前記外壁１０において、前記レール材１は、前記下地材１２の突出部１４によって構成された目地底に固定されていることから、前記外壁１０の表面から離間した位置に該レール材１を配置できるので、前記レール材１を、前記表面化粧材１１が表面から離間して配置された外壁１０であっても取り付けることができる。
これによって、例えばレール材１を突出部１４に固定せずに外壁１０の表面に固定する場合に比して、前記レール材１を前方に配置することができるので、前記目地部１１ａにおける段差を小さくして景観性が損なわれることを防ぐとともに、前記レール材１への雄ネジ材２の取り付けを容易に行うことができる。
また、前記下地材１２の固定板部１３は、前記目地部１１ａの目地幅１１ｂよりも幅広に形成されているので、この固定板部１３を利用してビス止めするなどして、前記下地材１２を外壁１０の表面に確実かつ強固に固定することができる。さらに、たとえ、前記下地材１２が外壁１０の表面から外れてしまった場合であっても、前記固定板部１３が目地幅１１ｂよりも幅広に形成されていることによって、前記下地材１２が目地部１１ａから外側に抜け出てしまうことを防ぐことができる。
【００６５】
また、前記レール材１と、前記表面化粧材１１の一方および他方の化粧板１１０，１１１の目地部側端部１１０ａ，１１１ａとの間に形成される隙間１１２，１１２に、この隙間１１２，１１２を塞ぐシーリング材１１３，１１３が設けられているので、該隙間１１２，１１２から雨水等が表面化粧材１１の裏側に浸入することを確実に防ぐことができる。これによって、前記レール材１を屋外や水廻り室に設けられる外壁１０にも取り付けることができる。
【００６６】
＜第２の実施の形態＞
次に、図面を参照して第２の実施の形態について説明する。なお、説明の便宜上、上述した第１の実施の形態とは異なる構成部分のみについて説明する。
【００６７】
図１１はレール材１の取付構造の一例を示す斜視図である。図１１に示す場所は、住宅等の建物に形成された凹部５０であり、例えば庭として利用されている。
この凹部５０は、互いに対向する一方および他方の側壁面５１，５２と、これら一方の側壁面５１と他方の側壁面５２との間に位置する中央側壁面５３とを有するようにして複数の外壁（建築用パネル）１０…を適宜組み立てることによって構築されている。また、外壁１０の表面には、表面化粧材１１が取り付けられている。
【００６８】
そして、本実施の形態の凹部５０では、吊具や固定具等の雄ネジ材２を取付可能に構成されたレール材１が、互いに対向する一方および他方の側壁面５１，５２にそれぞれ取り付けられている。
【００６９】
本実施の形態によれば、第１の実施の形態と同じ効果を得ることができる。
さらに、前記レール材１が、互いに対向する一方および他方の側壁面５１，５２にそれぞれ取り付けられていることから、これら対向するレール材１，１それぞれに複数の雄ネジ材２…を適宜取り付けることができるので、単に植栽容器や簾の吊り下げや壁掛けだけに限られない機能的な使い方が可能となる。これによって、凹部５０にバリエーションに富んだ景観を生み出すことが可能となる。
すなわち、前記レール材１は、第１の実施の形態の凹部４０や、本実施の形態の凹部５０だけに限られず、様々な箇所に取り付けることができる。例えば建物内部にも採用することができる。したがって、例えば、普段はレール材１を使用しないとしても、建物内にレール材１が取り付けられていれば、作業手間なく、いつでも雄ネジ材２を取り付けることができ、これにより、各種物品をいつでも簡単に設置できるので、居住者にとって使い勝手が良い。
【符号の説明】
【００７０】
１  レール材
２  雄ネジ材
１０  外壁
１１  表面化粧材
１１ａ  目地部
１５  表面化粧材
１５ａ  目地部
２０  柱
２１  表面化粧材
２１ａ  目地部
３０  梁
３１  表面化粧材
３１ａ  目地部
【図１】
0005917658.tif 000002
【図２】
0005917658.tif 000003
【図３】
0005917658.tif 000004
【図４】
0005917658.tif 000005
【図５】
0005917658.tif 000006
【図６】
0005917658.tif 000007
【図７】
0005917658.tif 000008
【図８】
0005917658.tif 000009
【図９】
0005917658.tif 000010
【図１０】
0005917658.tif 000011
【図１１】
0005917658.tif 000012